(57)【要約】      （修正有）【課題】鮭類の卵巣膜自体または該卵巣膜から抽出された成分を含有する栄養補助食品を、生理の周期に合わせて女性に摂取させることができる栄養補助食品用包装容器を提供する。【解決手段】栄養補助食品用包装容器１は、１日１回摂取される栄養補助食品を複数単位にまとめて包装する包装容器である。前記栄養補助食品は、鮭類の卵巣膜または該卵巣膜から抽出された成分を含有し、女性を被摂取者とし、１日分毎に個別容器９に収容されている。前記個別容器９は、７個ずつ同色の色彩又は同一の表示が施されて他の個別容器９と区別され、前記７個の個別容器を１組として、合計４組の個別容器が１個の外装容器に収容されている。前記７個の個別容器９は、１個の中間容器４〜７に収容され、各前記中間容器４〜７は、収容された前記１組の個別容器９と同系色の色彩が施されて、他の中間容器４〜７と区別可能である。【選択図】図１
0003130264.tif 000002
【実用新案登録請求の範囲】
【請求項１】
１日１回摂取される栄養補助食品を複数単位にまとめて包装する包装容器であって、
前記栄養補助食品は、鮭類の卵巣膜または該卵巣膜から抽出された成分を含有し、女性を被摂取者とし、１日分毎に個別容器に収容され、
前記個別容器は、７個ずつ同色の色彩又は同一の表示が施されて他の個別容器と区別され、
前記７個の個別容器を１組として、合計４組の個別容器が１個の外装容器に収容されていることを特徴とする栄養補助食品用包装容器。
【請求項２】
請求項１記載の栄養補助食品用包装容器において、
各前記１組の個別容器は、仕切り部材により互いに分離された状態で、前記外装容器に収容されていることを特徴とする栄養補助食品用包装容器。
【請求項３】
請求項１記載の栄養補助食品用包装容器において、
各前記１組の個別容器は、中間容器に収容されていることを特徴とする栄養補助食品用包装容器。
【請求項４】
請求項３記載の栄養補助食品用包装容器において、
各前記中間容器は、他の前記中間容器と互いに区別可能であることを特徴とする栄養補助食品用包装容器。
【請求項５】
請求項４記載の栄養補助食品用包装容器において、
各前記中間容器は、収容された前記１組の個別容器と同系色の色彩が施されていることを特徴とする栄養補助食品用包装容器。
【請求項６】
１日１回摂取される栄養補助食品を複数単位にまとめて包装する包装容器であって、
前記栄養補助食品は、鮭類の卵巣膜または該卵巣膜から抽出された成分を含有し、女性を被摂取者とし、７日分毎に個別容器に収容され、
合計４個の個別容器が１個の外装容器に収容され、
各前記個別容器は、他の前記個別容器と互いに区別可能であることを特徴とする栄養補助食品用包装容器。
【考案の詳細な説明】
【技術分野】
【０００１】
本考案は、包装容器、特に鮭類の卵巣膜または該卵巣膜から抽出された成分を含む栄養補助食品を収容する栄養補助食品用包装容器に関するものである。
【背景技術】
【０００２】
女性の体調、肌状態は、生理の周期（生理が始まってから次の生理が始まる日の前日までの日数）によって変化することが広く知られている。この生理の周期は、約４週間すなわち２８日間であり、卵胞期（約１週間）、黄体期（約２週間）、月経期（約１週間）の３つに分けられる。一般的に、卵胞期は、むくみが取れて体が軽くなる、血行がよくなる、肌にツヤとハリが出る等のように、体調、肌状態ともによい。黄体期は、前半は体調、肌状態とも普通であるものの、後半は、むくみ、肩こり、ニキビ等のように、体調、肌状態ともに不安定である。月経期は、血行が悪くなる、体が冷える、肌のかさつき等のように、体調、肌状態ともに悪い。
【０００３】
本考案者は、鮭類の卵巣膜自体または該卵巣膜から抽出された成分を含有する栄養補助食品を開発した（例えば特許文献１，２参照）。この栄養補助食品には、冷え性、肩こり、むくみ等の末梢血液循環の低下による諸症状、及び、シワ、シミ、肌のキメの粗さ等の肌荒れの諸症状を緩和、改善する作用があることから、この栄養補助食品を生理の周期に合わせて摂取することにより、女性の体調を常によい状態に保つことが期待される。
【０００４】
ところで、従来、１日１回摂取されることが望まれるような栄養補助食品は、１日分毎に１個の個別容器に収容されるとともに、１ヶ月分すなわち３０個の個別容器が１つの外装容器に収容されることが多い。
【０００５】
しかしながら、前記鮭類の卵巣膜自体または該卵巣膜から抽出された成分を含有する栄養補助食品を生理の周期（２８日）に合わせて摂取しようとしても、従来の包装では、１ヶ月（３０日）分の個別容器が１つの外装容器に収容されているので、２日分の個別容器が余ってしまい、生理の周期に合わなくなってしまうという不都合がある。
【特許文献１】特願２００６−１８３２３５
【特許文献２】特願２００６−１８３２３６
【考案の開示】
【考案が解決しようとする課題】
【０００６】
本考案は、かかる事情に鑑み、鮭類の卵巣膜自体または該卵巣膜から抽出された成分を含有する栄養補助食品を、生理の周期に合わせて女性に摂取させることができる栄養補助食品用包装容器を提供することを目的とする。
【課題を解決するための手段】
【０００７】
かかる目的を達成するために、第１考案の栄養補助食品用包装容器は、１日１回摂取される栄養補助食品を複数単位にまとめて包装する包装容器であって、前記栄養補助食品は、鮭類の卵巣膜または該卵巣膜から抽出された成分を含有し、女性を被摂取者とし、１日分毎に個別容器に収容され、前記個別容器は、７個ずつ同色の色彩又は同一の表示が施されて他の個別容器と区別され、前記７個の個別容器を１組として、合計４組の個別容器が１個の外装容器に収容されていることを特徴とする。
【０００８】
前記栄養補助食品は、前記被摂取者の生理の開始日から摂取が開始されると、生理の開始後１日目から７日目まで（第１週）は、同色の色彩又は同一の表示が施された個別容器に収容されたものが摂取される。生理の開始後８日目から１４日目まで（第２週）は、第１週の個別容器とは異なる色の色彩又は異なる表示が施された個別容器に収容された前記栄養補助食品が摂取される。同様に、生理の開始後１５日目から２１日目まで（第３週）は、第１週、第２週のいずれの個別容器とは異なる色の色彩又は異なる表示が施された個別容器に収容された前記栄養補助食品が摂取され、生理の開始後２２日目から２８日目まで（第４週）は、第１週、第２週、第３週のいずれの個別容器とは異なる色の色彩又は異なる表示が施された個別容器に収容された前記栄養補助食品が摂取される。
【０００９】
前記第１週は女性の生理の周期の月経期に相当し、前記第２週は卵胞期に相当し、前記第３週及び前記第４週は黄体期に相当する。したがって、第１考案の栄養補助食品用包装容器によれば、鮭類の卵巣膜自体または該卵巣膜から抽出された成分を含有する栄養補助食品を、生理の周期に合わせて女性に摂取させることができる。
【００１０】
第１考案の栄養補助食品用包装容器において、各前記１組の個別容器は、仕切り部材により互いに分離された状態で、前記外装容器に収容されていることが好ましい。該構成によれば、互いに異なる組の前記個別容器が入り混じることを防ぐことができる。
【００１１】
第１考案の栄養補助食品用包装容器において、各前記１組の個別容器は、中間容器に収容されていることが好ましい。該構成によれば、同じ組の前記個別容器が分散することを防ぐことができる。
【００１２】
第１考案の栄養補助食品用包装容器において、各前記中間容器は、他の前記中間容器と互いに区別可能であることが好ましい。該構成によれば、その日に摂取すべき個別容器とは異なる組の個別容器に収容された前記栄養補助食品を誤って摂取することを防ぐことができる。
【００１３】
第１考案の栄養補助食品用包装容器において、各前記中間容器は、収容された前記１組の個別容器と同系色の色彩が施されていることが好ましい。ここで、同系色の色彩とは、同色の色彩を含んでいる。該構成によれば、前記中間容器及び該中間容器に収容された前記１組の個別容器はともに同系色の色彩が施され、各前記中間容器は互いに異なる色の色彩が施されているので、前記中間容器及び前記個別容器の識別が容易である。
【００１４】
さらに、かかる目的を達成するために、第２考案の栄養補助食品用包装容器は、１日１回摂取される栄養補助食品を複数単位にまとめて包装する包装容器であって、前記栄養補助食品は、鮭類の卵巣膜または該卵巣膜から抽出された成分を含有し、女性を被摂取者とし、７日分毎に個別容器に収容され、合計４個の個別容器が１個の外装容器に収容され、各前記個別容器は、他の前記個別容器と互いに区別可能であることを特徴とする。
【００１５】
前記栄養補助食品は、前記被摂取者の生理の開始日から摂取が開始されると、前述の第第１週は、一の個別容器に収容されたものが摂取される。前述の第２週は、第１週の個別容器とは異なる他の個別容器に収容された前記栄養補助食品が摂取される。同様に、前述の第３週は、第１週、第２週のいずれの個別容器とは異なる他の個別容器に収容された前記栄養補助食品が摂取され、前述の第４週は、第１週、第２週、第３週のいずれの個別容器とは異なる他の個別容器に収容された前記栄養補助食品が摂取される。
【００１６】
したがって、第２考案の栄養補助食品用包装容器によれば、鮭類の卵巣膜自体または該卵巣膜から抽出された成分を含有する栄養補助食品を、生理の周期に合わせて女性に摂取させることができる。また、各前記個別容器は、他の前記個別容器と互いに区別可能であるので、異なる週に相当する個別容器に収容された前記栄養補助食品を誤って摂取することを防ぐことができる。さらに、前記栄養補助食品は７日分毎に個別容器に収容され、４週間分が４個の個別容器に収容されるので、包装容器の製造コストを安くすることができる。
【考案を実施するための最良の形態】
【００１７】
次に、添付の図面を参照しながら本考案の実施形態についてさらに詳しく説明する。図1は、本実施形態の栄養補助食品用包装容器を示す斜視図である。図２は、本実施形態の栄養補助食品用包装容器の第１の変形例を示す斜視図であって、図２（ａ）は使用前の栄養補助食品用包装容器の状態を示す説明図であり、図２（ｂ）は使用途中の栄養補助食品用包装容器の状態を示す説明図である。図３は、本実施形態の栄養補助食品用包装容器の第２の変形例を示す斜視図である。
【００１８】
図１示の栄養補助食品用包装容器１は、収容部２と、収容部２の一面２ａを覆う蓋部３とで構成され、内部に複数の直方体形状の中間容器４〜７を収容するための容器である。
【００１９】
収容部２は、紙製の中空の略直方体である。収容部２の一面２ａには、複数の凹部８ａ〜８ｄが設けられている。各凹部８ａ〜８ｄは、中間容器４〜７の断面積よりも少し大きな断面積を有するとともに、中間容器４〜７の高さの半分の深さを有しており、中間容器４〜７を嵌め込むことができるように形成されている。
【００２０】
蓋部３は、透明なプラスチック樹脂で形成され、収容部２の一面２ａを覆ったときに収容された中間容器４〜７を外部から視認できるようになっている。
【００２１】
各中間容器４〜７は、紙製の中空の直方体であり、内部に複数の個別容器９を収納するための容器である。各中間容器４〜７は、互いに異なる色の色彩が施され、中間容器４にはオレンジ色、中間容器５には黄緑色、中間容器６には青色、中間容器７には紫色が施されている。また、各中間容器４〜７の外側面には、週が記載され、中間容器４には「１ｗｅｅｋ」、中間容器５には「２ｗｅｅｋ」、中間容器６には「３ｗｅｅｋ」、中間容器７には「４ｗｅｅｋ」と記載されている。
【００２２】
複数の個別容器９は、薄い袋状の容器で、全部で２８個ある。各個別容器９には、１日に摂取されることが望まれる量の、鮭類の卵巣膜または該卵巣膜から抽出された成分を含有する栄養補助食品（図示せず）、いわゆるサプリメントが収容されている。
【００２３】
個別容器９は、７個ずつ同色の色彩及び同一の表示が施されて他の個別容器９と区別されるようになっており、この7個を１組という。また、各個別容器９は、該個別容器９と同色の色彩が施された中間容器４〜７に寝かせた状態で収容されている。すなわち、７個の個別容器９にはオレンジ色、他の７個の個別容器９には黄緑色、他の７個の個別容器９には青色、残りの７個の個別容器９には紫色が施されている。
【００２４】
前記栄養補助食品は、女性を被摂取者とするものであり、冷え性、肩こり、むくみ等の末梢血液循環の低下による諸症状、及び、シワ、シミ、肌のキメの粗さ等の肌荒れの諸症状を緩和、改善する作用を有する。
【００２５】
次に、本実施形態の栄養補助食品用包装容器１の使用方法の一例について説明する。被摂取者は、１日１回個別容器９に収容された栄養補助食品を摂取する。被摂取者は、自らの生理の開始後１日目から７日目まで（第１週）は、外側面に１ｗｅｅｋと記載された中間容器４内の個別容器９に収容された栄養補助食品を摂取する。次に、生理の開始後８日目から１４日目まで（第２週）は、外側面に２ｗｅｅｋと記載された中間容器５内の個別容器９に収容された栄養補助食品を摂取する。次に、生理の開始後１５日目から２１日目まで（第３週）は、外側面に３ｗｅｅｋと記載された中間容器６内の個別容器９に収容された栄養補助食品を摂取する。次に、生理の開始後２２日目から２８日目まで（第４週）は、外側面に４ｗｅｅｋと記載された中間容器７内の個別容器９に収容された栄養補助食品を摂取する。次に、生理の開始後２９日目すなわち次の生理の開始日には、新たな栄養補助食品用包装容器１から、中間容器４内の個別容器９に収容された栄養補助食品を摂取する。以降、これを繰り返す。
【００２６】
前記第１週は、女性の生理の周期の月経期に相当し、前記第２週は、卵胞期に相当し、前記第３週及び第４週は、黄体期に相当する。したがって、本実施形態の栄養補助食品用包装容器１によれば、鮭類の卵巣膜自体または該卵巣膜から抽出された成分を含有する栄養補助食品を、生理の周期に合わせて女性に摂取させることができる。
【００２７】
また、その日に栄養補助食品を摂取したか否かがわからなくなった場合でも、生理の開始日からその日までの日数と、摂取済みの個別容器９の数とを比較することにより、その日に栄養補助食品を摂取したか否かが判明するので、誤って過剰に摂取することを防ぐことができる。摂取済みの個別容器９の数は、生理の周期に対応する週すなわち対応する中間容器４〜７内の個別容器９の残数から容易に導き出すことができる。
【００２８】
また、各個別容器９は、該個別容器９と同色の色彩が施された中間容器４〜７に収容され、各中間容器４〜７は互いに異なる色の色彩が施されているので、その日に摂取すべき個別容器９とは異なる組の個別容器９に収容された前記栄養補助食品を誤って摂取することを防ぐことができる。
【００２９】
本実施形態では、各個別容器９は、収納された中間容器４〜７と同色の色彩が施されているが、収納された中間容器４〜７と同系色の色彩が施されるようにしてもよい。また、各中間容器は、互いに異なる色の色彩が施されているが、互いに区別可能であるならば同色の色彩が施されるようにしてもよい。
【００３０】
また、本実施形態では、中間容器４〜７は、紙製の中空の直方体の容器であるとしたが、７個の個別容器９を束ねる帯状のテープであってもよく、さらに、このテープの外表面に週が記載されていてもよい。
【００３１】
さらに、図面には記載しないが、個別容器に１日に摂取されることが望まれる量の前記栄養補助食品を収容する代わりに、次のようにしてもよい。まず、個別容器に、１日に摂取されることが望まれる量の７倍、すなわち７日分の前記栄養補助食品を収容する。この個別容器を４個用意し、各個別容器にオレンジ色、黄緑色、青色、紫色を施すことにより、各個別容器を他の個別容器と互いに区別可能であるように形成する。これら４個の個別容器を栄養補助食品用包装容器に直接収納する。この個別容器としては、例えば、ガラス瓶やアルミラミネート袋（アルミ箔層の両面にポリプロピレン層が設けられた袋状容器）等を用いることができる。４週間分の前記栄養補助食品が４個の個別容器に収容されるので、包装容器の製造コストを安くすることができる。
【００３２】
本実施形態の栄養補助食品用包装容器は、図２及び図３のような構成とすることもできる。
【００３３】
図２（ａ）示の栄養補助食品用包装容２１は、開口を有する収容部２２と、開口を覆う蓋部２３とで構成され、複数の個別容器９を収容するための容器である。複数の個別容器９は、栄養補助食品用包装容１の個別容器９と同じものであり、合計２８個である。
【００３４】
収容部２２及び蓋部２３は、ともに紙製であって、略直方体である。
【００３５】
収容部２２の内底部には、左端から紫色、青色、黄緑色、オレンジ色の順で、各個別容器９が同色の７個ずつそれぞれ等間隔に寝かせた状態で収容されている。また、各個別容器９は、両面粘着テープ（図示しない）等により、その位置がずれないように固定されている。
【００３６】
収容部２２の外側面２２ａには、目盛２４が設けられている。「１ｗｅｅｋ」と記載された目盛２４ａは、最右端のオレンジ色の個別容器９の右端に対応する位置に設けられている。「２ｗｅｅｋ」と記載された目盛２４ｂは、右から７個目のオレンジ色の個別容器９の左端に対応する位置に設けられている。「３ｗｅｅｋ」と記載された目盛２４ｃは、右から１４個目の黄緑色の個別容器９の左端に対応する位置に設けられている。「４ｗｅｅｋ」と記載された目盛２４ｄは、右から２１個目の青色の個別容器９の左端に対応する位置に設けられている。
【００３７】
次に、本実施形態の栄養補助食品用包装容器２１の使用方法の一例について説明する。
被摂取者は、毎日１個の個別容器９に収容された栄養補助食品を、収容部２２の右端から順番に、すなわちオレンジ色、黄緑色、青色、紫色の順に摂取する。摂取される個別容器９の順序は、栄養補助食品用包装容器１において摂取される個別容器９の順序と全く同じである。
【００３８】
したがって、本実施形態の栄養補助食品用包装容器２１によれば、鮭類の卵巣膜自体または該卵巣膜から抽出された成分を含有する栄養補助食品を、生理の周期に合わせて女性に摂取させることができる。
【００３９】
また、その日に栄養補助食品を摂取したか否かがわからなくなった場合でも、生理の開始日からその日までの日数と、摂取済みの個別容器９の数とを比較することにより、その日に栄養補助食品を摂取したか否かが判明するので、誤って過剰に摂取することを防ぐことができる。摂取済みの個別容器９の数は、収容部２２の外側面２２ａに設けられた目盛２４ａ〜２４ｄを用いることにより、容易に導き出すことができる。例えば、図２（ｂ）の状態である場合には、３ｗｅｅｋと記載された目盛２４ｃの右側に個別容器９が４個残っていることから、これまでに第２週分を３個摂取した、すなわちこれまでに７（第１週分）＋３（第２週分）＝１０個摂取したと導き出すことができる。
【００４０】
また、図３示の栄養補助食品用包装容器４１は、開口を有する収容部４２と、開口を覆う蓋部４３とで構成され、複数の個別容器９を収容するための紙製の略直方体の容器である。複数の個別容器９は、栄養補助食品用包装容１の個別容器９と同じものであり、合計２８個である。
【００４１】
収容部４２の内部には、左端から紫色、青色、黄緑色、オレンジ色の順で、各個別容器９が同色の７個ずつ立てた状態で収容されるとともに、色の異なる個別容器９の間には仕切り板４５（４５ａ，４５ｂ，４５ｃ）が設けられている。また、収容部４２の右内側面の個別容器９よりも高い位置には、「１ｗｅｅｋ」と記載されている。
【００４２】
仕切り板４５は、略Ｌ字状に形成された厚紙である。仕切り板４５は、個別容器９よりも高く、かつ収容部４２よりも低くなるように形成されている。仕切り板４５は、水平面が接着剤等により収容部４２の底面に接着され、その位置が固定されるようになっているが、接着されていなくてもよい。仕切り板４５ａは、オレンジ色の個別容器９と黄緑色の個別容器９との間に設けられ、個別容器９よりも高い位置に「２ｗｅｅｋ」と記載されている。仕切り板４５ｂは、黄緑色の個別容器９と青色の個別容器９との間に設けられ、同様の位置に「３ｗｅｅｋ」と記載されている。仕切り板４５ｃは、青色の個別容器９と紫色の個別容器９との間に設けられ、同様の位置に「４ｗｅｅｋ」と記載されている。
【００４３】
本実施形態の栄養補助食品用包装容器４１は、栄養補助食品用包装容器２１と同様の方法で使用される。
【００４４】
なお、蓋部４３の裏面等に、生理周期のホルモンバランスに関するグラフ、卵胞期、黄体期、月経期の体調や肌状態に関する情報、体調や肌状態を整えるための食事に関する情報等を記載するようにしてもよい。
【図面の簡単な説明】
【００４５】
【図１】本実施形態の栄養補助食品用包装容器を示す斜視図。
【図２】本実施形態の栄養補助食品用包装容器の第１の変形例を示す斜視図。
【図３】本実施形態の栄養補助食品用包装容器の第２の変形例を示す斜視図。
【符号の説明】
【００４６】
１，２１，４１…栄養補助食品用包装容器、外装容器、  ４〜７…中間容器、  ９…個別容器、  ４５…仕切り板。
【図１】
0003130264.tif 000003
【図２】
0003130264.tif 000004
【図３】
0003130264.tif 000005